(57)【特許請求の範囲】
【請求項１】
ユーザの指示により、放送される番組の録画予約を行って、前記録画予約が行われた番組の情報を、番組リストに登録する予約管理部と、
前記番組リストと、前記番組リストを作成したユーザとが対応付けられて記憶され、前記番組リストを他の録画装置に表示させることにより前記番組リストを他のユーザと共有させるサーバ装置に前記番組リストを送信し、新たな録画予約が行われた場合に前記新たな録画予約が行われた番組の情報を含む前記番組リストを前記他の録画装置に表示させるように、前記録画予約が行われるごとに、前記録画予約が行われた番組の情報を前記サーバ装置に送信する送信部と、
を備えた録画装置。
【請求項２】
前記ユーザの指示により、連続して視聴するための複数の番組が登録されたプレイリストを前記番組リストに登録するプレイリスト管理部、をさらに備え、
前記送信部は、さらに、前記プレイリストが前記番組リストに登録された場合に、前記プレイリストを前記サーバ装置に送信する、
請求項１に記載の録画装置。
【請求項３】
前記ユーザの指示により、動画サイトに関する情報を前記番組リストに登録するコンテンツ管理部、をさらに備え、
前記送信部は、さらに、前記動画サイトに関する情報が前記番組リストに登録された場合に、前記動画サイトに関する情報を前記サーバ装置に送信する、
請求項１または２に記載の録画装置。
【請求項４】
前記コンテンツ管理部は、さらに、前記ユーザの指示により、記録媒体に記憶されたコンテンツの紹介サイトに関する情報を前記番組リストに登録し、
前記送信部は、さらに、前記コンテンツの紹介サイトに関する情報が前記番組リストに登録されると、前記コンテンツの紹介サイトに関する情報を前記サーバ装置に送信する、
請求項３に記載の録画装置。
【請求項５】
録画予約が行われた番組の情報が登録された番組リストと、前記番組リストを作成したユーザとが対応付けられて記憶されたサーバ装置から、所望のユーザの番組リストを検索する検索部と、
前記サーバ装置に対して、検索された前記所望のユーザの番組リストの共有を要求し、要求した前記所望のユーザの番組リストを表示するように、前記サーバ装置から前記所望のユーザの番組リストを受信する要求部と、
前記所望のユーザの番組リストに新たな録画予約が登録されているか否かを前記サーバ装置に問い合わせ、前記新たな録画予約が前記所望のユーザの番組リストに登録されている場合に、前記新たな録画予約を行った番組に関する情報を含む前記番組リストを表示するように、前記サーバ装置から前記新たな録画予約を行った番組に関する情報を受信する受信部と、
を備えた録画装置。
【請求項６】
前記番組リストは、連続して視聴するための複数の番組が登録されたプレイリストが登録可能であり、
前記受信部は、さらに、新たなプレイリストが前記所望のユーザの番組リストに登録されている場合に、前記サーバ装置から前記新たなプレイリストを受信する、
請求項５に記載の録画装置。
【請求項７】
前記番組リストは、動画サイトに関する情報が登録可能であり、
前記受信部は、さらに、新たな動画サイトに関する情報が前記所望のユーザの番組リストに登録されている場合に、前記サーバ装置から前記新たな動画サイトに関する情報を受信する、
請求項５または６に記載の録画装置。
【請求項８】
前記番組リストは、記録媒体に記憶されたコンテンツの紹介サイトに関する情報が登録可能であり、
前記受信部は、さらに、新たなコンテンツの紹介サイトに関する情報が前記所望のユーザの番組リストに登録されている場合に、前記サーバ装置から前記新たなコンテンツの紹介サイトに関する情報を受信する、
請求項７に記載の録画装置。
【請求項９】
録画予約が行われた番組の情報が登録された番組リストと、前記番組リストを作成したユーザとが対応付けられて記憶されたサーバ装置から、所望のユーザの番組リストを検索するステップと、
前記サーバ装置に対して、検索された前記所望のユーザの番組リストの共有を要求し、要求した前記所望のユーザの番組リストを表示するように、前記サーバ装置から前記所望のユーザの番組リストを受信するステップと、
前記所望のユーザの番組リストに新たな録画予約が登録されているか否かを前記サーバ装置に問い合わせ、前記新たな録画予約が前記所望のユーザの番組リストに登録されている場合に、前記新たな録画予約を行った番組に関する情報を含む前記番組リストを表示するように、前記サーバ装置から前記新たな録画予約を行った番組に関する情報を受信するステップと、
を含む共有処理方法。
【請求項１０】
録画予約が行われた番組の情報が登録された番組リストと、前記番組リストを作成したユーザとが対応付けられて記憶されたサーバ装置から、所望のユーザの番組リストを検索するステップと、
前記サーバ装置に対して、検索された前記所望のユーザの番組リストの共有を要求し、要求した前記所望のユーザの番組リストを表示するように、前記サーバ装置から前記所望のユーザの番組リストを受信するステップと、
前記所望のユーザの番組リストに新たな録画予約が登録されているか否かを前記サーバ装置に問い合わせ、前記新たな録画予約が前記所望のユーザの番組リストに登録されている場合に、前記新たな録画予約を行った番組に関する情報を含む前記番組リストを表示するように、前記サーバ装置から前記新たな録画予約を行った番組に関する情報を受信するステップと、
前記新たな録画予約を行った番組に関する情報を前記番組リストに登録するステップと、
前記新たな録画予約を行った番組に関する情報が登録された前記番組リストを、録画装置に送信するステップと、
をコンピュータに実行させるためのプログラム。
【発明の詳細な説明】
【技術分野】
【０００１】
本発明の実施形態は、録画装置、共有処理方法およびプログラムに関する。
【背景技術】
【０００２】
従来から、録画装置では番組の録画予約機能が設けられており、録画予約機能を利用することで、設定された時間になると設定されたチャンネル（放送局）の番組を自動的に録画することできる。
【０００３】
このような録画装置には、録画予約情報を、提供先を指定してサーバに送信し、サーバから提供先の録画装置に通知して、提供先の録画装置がサーバにアクセスして所望の録画予約番組を指定して、指定した番組の予約情報をサーバから受信して録画予約を実行する技術がある。
【先行技術文献】
【特許文献】
【０００４】
【特許文献１】特開２００４−６４４９５号公報
【発明の概要】
【発明が解決しようとする課題】
【０００５】
しかしながら、このような従来技術では、録画予約情報の提供元と提供先とは１：１の関係にあり、録画予約情報は個人的な用途に留まり、録画予約情報の有効活用を行うことが困難である。
【０００６】
また、従来技術では、提供先の録画装置のユーザは、登録された録画予約を実行するごとに、サーバにアクセスして、所望の録画予約を選択する必要があり、ユーザの操作が煩雑になる。
【課題を解決するための手段】
【０００７】
実施形態の録画装置は、予約管理部と、送信部とを備える。予約管理部は、ユーザの指示により、放送される番組の録画予約を行って、前記録画予約が行われた番組の情報を、番組リストに登録する。送信部は、前記番組リストと、前記番組リストを作成したユーザとが対応付けられて記憶され、前記番組リストを他の録画装置に表示させることにより前記番組リストを他のユーザと共有させるサーバ装置に前記番組リストを送信し、新たな録画予約が行われた場合に前記新たな録画予約が行われた番組の情報を含む前記番組リストを前記他の録画装置に表示させるように、前記録画予約が行われるごとに、前記録画予約が行われた番組の情報を前記サーバ装置に送信する。  
【図面の簡単な説明】
【０００８】
【図１】図１は、実施の形態１にかかる録画システムのネットワーク構成図である。
【図２】図２は、実施の形態１の共有サーバ装置の機能的構成を示すブロック図である。
【図３】図３は、実施の形態１の番組リストの一例を示す図である。
【図４】図４は、実施の形態１の番組リストの一例を示す図である。
【図５】図５は、実施の形態１の共有管理データベースのデータ構造の例を示す図である。
【図６】図６は、実施の形態１の録画再生装置のハードウェア構成を示すブロック図である。
【図７】図７は、実施の形態１の録画再生装置の制御部の機能的構成を示すブロック図である。
【図８】図８は、実施の形態１の番組リスト共有処理の流れを示すシーケンス図である。
【図９】図９は、実施の形態１のリスト管理画面の一例を示す図である。
【図１０】図１０は、実施の形態１のフォローリスト画面の一例を示す図である。
【図１１】図１１は、実施の形態１の番組リスト一覧画面の一例を示す図である。
【図１２】図１２は、実施の形態１の録画予約の登録画面で一例を示す図である。
【図１３】図１３は、実施の形態１のプレイリストの登録画面の一例を示す図である。
【図１４】図１４は、実施の形態１の番組リストのフォルダ一覧画面の一例を示す図である。
【図１５】図１５は、実施の形態１の番組リスト画面の一例を示す図である。
【図１６】図１６は、実施の形態２の録画再生装置の制御部の機能的構成を示すブロック図である。
【図１７】図１７は、実施の形態２のコンテンツ登録画面の一例を示す図である。
【図１８】図１８は、実施の形態２の番組リストの一例を示す図である。
【図１９】図１９は、実施の形態２の番組リスト画面の一例を示す図である。
【図２０】図２０は、実施の形態３の録画システムのネットワーク構成図である。
【図２１】図２１は、実施の形態３の携帯端末の機能的構成を示すブロック図である。
【図２２】図２２は、実施の形態３の番組リスト共有処理の流れを示すシーケンス図である。
【発明を実施するための形態】
【０００９】
（実施の形態１）
図１は、実施の形態１にかかる録画システムのネットワーク構成図である。本実施の形態の録画システムは、図１に示すように、複数の録画再生装置２００Ｘ，２００Ａ，２００Ｂと、共有サーバ装置１００とが、インターネット等のネットワークで接続された構成となっている。ここで、これ以降、録画再生装置２００Ｘ，２００Ａ，２００Ｂを総称する場合には、「録画再生装置２００」という。
【００１０】
録画再生装置２００は、放送される番組の録画予約を行ったり、録画した番組の再生を行う装置である。本実施の形態の録画再生装置２００は、録画予約した番組の情報を登録した番組リストを生成する。
【００１１】
また、本実施の形態では、録画再生装置２００は、さらに、録画した複数の番組を連続して順次再生するためのプレイリストを生成し、このプレイリストに従って番組の再生を行う。
【００１２】
共有サーバ装置１００は、録画再生装置２００から番組リストを受信し、受信した番組リストを他の録画再生装置２００のユーザに共有する。
【００１３】
本実施の形態では、ユーザＸが使用する録画再生装置２００Ｘが番組リストを、共有サーバ装置１００にアップロードして、共有サーバ装置１００がアップロードされた番組リストを共有化し、ユーザＡの録画再生装置２００Ａ、ユーザＢの録画再生装置２００Ｂが共有サーバ装置１００で共有化された番組リストをダウンロードして使用するものとする。なお、録画再生装置２００Ｘ，２００Ａ，２００Ｂの構成および機能は同一であるとする。
【００１４】
図２は、共有サーバ装置１００の機能的構成を示すブロック図である。共有サーバ装置１００は、図２に示すように、リスト管理部１０１と、共有管理部１０２と、通信部１０３と、番組リスト記憶部１１０と、共有ＤＢ記憶部１２０とを主に備えている。
【００１５】
通信部１０３は、ネットワークを介して録画再生装置２００との番組リストを含む各種データの送受信を行う。
【００１６】
リスト管理部１０１は、録画再生装置２００Ｘ等から受信した番組リストを番組リスト記憶部１１０に保存して、番組リストの管理を行う。具体的には、録画再生装置２００から、番組リストに新たな番組の追加や新たなプレイリストの追加がされた場合に、これらの新たな番組や、新たなプレイリストを、該当する番組リストに追加して保存したりする。
【００１７】
番組リスト記憶部１１０は、録画再生装置２００から受信した番組リストを保存するハードディスクドライブ装置（ＨＤＤ）やメモリ等の記憶媒体である。
【００１８】
ここで、番組リストは、ユーザによって録画予約された番組の一覧や、プレイリストが登録されたリストデータである。図３、図４は、番組リストの一例を示す図である。番組リストには、１行目に、「番組リスト名＠作成者」の形式のタイトルがあり、「作成者」で作成された「番組リスト名」の番組リストであることが示される。図３および図４に示す例では、ユーザＸによって作成された音楽番組リストであることが示されている。言い換えれば、図３、図４の番組リストは、ユーザＸの録画再生装置２００Ｘから受信した番組リストである。
【００１９】
番組リストには、図３に示すように、録画予約した番組の名称（「ミュージックアワー」）や、録画予約した番組であることを示す識別情報（「予約」）、録画予約の日付もしくは毎週の曜日（「毎週金曜日」）、予約の時間（「１９：００〜２０：００」）、チャンネル（「地デジ０１１」）等の番組に関する情報が登録されている。
【００２０】
また、図４に示すように、番組リストには、録画予約した番組に加え、プレイリストが登録される。プレイリストは、録画した複数の番組を連続して視聴するために再生順に登録したリストである。図４に示す例では、プレイリストであることを示す識別情報（「プレイリスト」）、複数の番組のそれぞれの日付、時間、チャンネル等の番組に関する番組関連情報が登録されている。
【００２１】
図２に戻り、共有管理部１０２は、番組リスト記憶部１１０に保存されている番組リストに対して共有の設定等の管理を行う。具体的には、共有管理部１０２は、録画再生装置２００のユーザからのフォローの要求により、番組リスト記憶部１１０に保存されている番組リストの中の要求を受けた番組リストに対して、要求したユーザがフォローを行うように設定し、当該番組リストを要求元のユーザの録画再生装置２００に送信する。
【００２２】
また、共有管理部１０２は、録画再生装置２００のユーザからの指定した番組リストに対するフォロー解除の要求により、指定された番組リストに対して、要求したユーザのフォローを解除する。
【００２３】
共有管理部１０２は、このような共有の管理を、共有管理データベースを用いて行う。共有ＤＢ記憶部１２０は、共有管理データベースを記憶するＨＤＤやメモリ等の記憶媒体である。共有管理データベースは、番組リスト記憶部１１０に保存されている番組リストに対するフォロー設定やフォロー解除等のような共有の情報を管理するためのデータベースである。
【００２４】
図５は、共有管理データベースのデータ構造の例を示す図である。図５に示すように、共有管理データベースには、番組リストの作成者と、番組リスト名などの番組リストの識別情報、番組リストをフォローするフォロワーとが対応付けられている。
【００２５】
図５の例では、ユーザＸが作成した音楽番組リストには、ユーザＡとユーザＢのフォロワーが存在することが示されている。ユーザから、作成者とともに番組リストを指定したフォローの要求があった場合、共有管理部１０２は、この共有管理データベースにおいて、指定された作成者の番組リストのフォロワーの項目に、フォローの要求を行ったユーザを登録する。
【００２６】
次に、録画再生装置２００の詳細について説明する。図６は、実施の形態１の録画再生装置２００のハードウェア構成を示すブロック図である。録画再生装置２００は、分配器２１１と、６つのチューナ２１２、復調器２１３および復号器２１４と、信号処理部２１５と、グラフィック処理部２１６と、映像処理部２１７と、映像表示器２１８と、音声処理部２１９と、スピーカ２２０と、制御部２２１と、操作部２２５と、受光部２２６と、通信インターフェース２２７と、ＨＤＤ２２８と、リモコン２２９とを備えて構成されている。
【００２７】
この録画再生装置２００は、装置各部の動作を制御する制御部２２１を備えている。制御部２２１は、ＣＰＵ（Central  Processing  Unit）等を内蔵している。制御部２２１は、操作部２２５から入力される操作信号や、リモートコントローラ２２９から送信され受光部２２６を介して受信される操作信号に応じて、ＲＯＭ（Read  Only  Memory）２２２に予め記憶されたシステム制御プログラム及び各種処理プログラムを起動させる。制御部２２１は、起動したプログラムに従って、ＲＡＭ（Random  Access  Memory）２２３をワークメモリとして装置各部の動作を制御する。各部の動作制御に必要な各種の設定情報及び制御情報等は、一例として、不揮発性メモリ２２４に格納される。
【００２８】
分配器２１１は、各放送局から送信される放送コンテンツが含まれる信号を、放送局毎に各チューナ２１２に分配する。
【００２９】
チューナ２１２は、受信した信号を同調して処理可能なベースバンド信号に変換する。なお、このデータ信号は圧縮された状態となっている。本実施形態において、録画再生装置２００は６個のチューナ２１２を備えている。チューナ２１２は、受信したデジタル放送信号のチューニングを行い、チューニングしたデジタル放送信号をそれぞれの復調器２１３に送信する。なお、本実施形態においては録画再生装置２００が備えるチューナ２１２の数を６つとしたが、これに限定されるものではなく、６つより少ない、あるいは６より多い数のチューナを備えてもよい。
【００３０】
復調器２１３は、ＴＳの復調を行い、復調したＴＳをそれぞれの復号器２１４に供給し、復号器２１４は、ＴＳをデジタル映像信号および音声信号等に復号した後、復号した信号を信号処理部２１５に出力する。なお、復調器２１３と復号器２１４はそれぞれ、チューナ２１２と同数個である６個ずつ存在し、それぞれ１つずつ６個のチューナ２１２のそれぞれに割り当てられている。
【００３１】
信号処理部２１５は、復号器２１４から出力された放送信号に、適切な信号処理を施す。放送信号は、データ信号、映像信号および音声信号に分離される。このデータ信号には放送された番組を示す種々の情報である番組関連情報が含まれている。この番組関連情報には、番組の番組名、番組が属するジャンル、番組が放送されるチャンネルを示すチャンネル情報、番組が放送される日付および時間（以下、日時とする）を示す日時情報などを含む番組情報が番組毎に含まれているものとする。分離された映像信号はグラフィック処理部２１６に、音声信号は音声処理部２１９に出力される。また、信号処理部２１５は、通信インターフェース２２７を介する外部機器からの入力信号にも所定の信号処理を施す。なお、映像信号および音声信号を合わせて、コンテンツデータという。
【００３２】
グラフィック処理部２１６は、信号処理部２１５から出力される映像信号のデコード処理を行う。デコードされた映像信号は、映像処理部２１７に出力される。
【００３３】
映像処理部２１７は、グラフィック処理部２１６から出力された信号を、映像表示器２１８で表示可能なフォーマットの映像信号に変換する。変換された映像信号は、映像表示器２１８に出力される。また、映像処理部２１７は、外部出力端子（不図示）に接続されたＨＤＤ２２８等の外部装置に映像信号を出力することができる。なお、映像表示器２１８は、本実施の形態においてはデジタルテレビのディスプレイである。なお、映像表示器２１８を、録画再生装置２００の外部に設け、録画再生装置２００と映像表示器２１８とを接続するように構成してもよい。
【００３４】
音声処理部２１９は、入力された音声信号を、スピーカ２２０で再生可能なフォーマットの音声信号に変換する。変換された音声信号は、スピーカ２２０に出力されて再生される。また、音声処理部２１９は、外部出力端子（不図示）に接続されたアンプ等の外部装置（不図示）に音声信号を出力することができる。
【００３５】
制御部２２１は、ＨＤＤ２２８にコンテンツデータ、画像、音楽、各種情報（例えば、放送信号から分離したデータ信号に含まれる番組関連情報やコンテンツデータ、録画するチャンネルとして予め選択されたチャンネルを示す録画スケジュールなど）を格納することができる。なお、制御部２２１は、信号処理部２１５において放送信号から分離したデータ信号に含まれる番組関連情報を、所定時間毎に取得し、取得した番組関連情報によってＨＤＤ２２８に格納されている番組関連情報を更新するものとする。これにより、ＨＤＤ２２８に格納されている番組関連情報を最新の状態に維持することができる。また、制御部２２１は、ＨＤＤ２２８に格納されたコンテンツデータ、画像、音楽を読み出して、映像表示器２１８に表示させたり、スピーカ２２０から音声出力させたりすることができる。
【００３６】
図７は、実施の形態１における録画再生装置２００の制御部２２１の機能的構成を示すブロック図である。制御部２２１は、番組リスト生成部７０１と、予約管理部７０２と、プレイリスト管理部７０３と、番組リスト検索部７０４と、要求部７０５と、画面表示制御部７０９と、録画制御部７０６と、再生制御部７０７と、通信処理部７０８とを主に備えている。
【００３７】
番組リスト生成部７０１は、番組リストを生成する。予約管理部７０２は、ユーザのリモコン２２９等からの指示により、放送される番組の録画予約を行って、録画予約が行われた番組の番組関連情報を、番組リストに登録する。プレイリスト管理部７０３は、ユーザのリモコン２２９等からの指示により、プレイリストを番組リストに登録する。
番組リスト検索部７０４は、共有サーバ装置１００の番組リスト記憶部１１０に保存されている番組リストの中から、所望のユーザの番組リストを検索する。
【００３８】
要求部７０５は、共有サーバ装置１００に対して、検索された所望のユーザの番組リストの共有を要求し、要求した所望のユーザの番組リストを受信する。本実施の形態では、要求部７０５は、共有の要求として、共有サーバ装置１００に対して、検索された所望のユーザの番組リストのフォローの要求を行う。
【００３９】
画面表示制御部７０９は、各種画面を、映像表示器２１８に表示する制御を行う。録画制御部７０６は、番組の録画や予約録画を制御する。再生制御部７０７は、録画した番組の再生、プリイリストに登録された番組の再生を制御する。
【００４０】
通信処理部７０８は、共有サーバ装置１００との間で各種データの送受信を行う。本実施の形態では、通信処理部７０８は、番組リストを共有させるために、共有サーバ装置１００に送信する他、録画予約が行われるごとに、録画予約が行われた番組の番組関連情報を共有サーバ装置１００に送信する。また、通信処理部７０８は、プレイリストが番組リストに登録されるごとに、プレイリストを共有サーバ装置１００に送信する。
【００４１】
また、通信処理部７０８は、フォロー中のユーザの番組リストに、新たな録画予約が登録されているか否かを共有サーバ装置１００に問い合わせ、新たな録画予約が登録されている場合に、共有サーバ装置１００から新たな録画予約を行った番組の番組関連情報を受信する。また、通信処理部７０８は、フォロー中のユーザの番組リストに、新たなプレイリストが登録されているか否かを共有サーバ装置１００に問い合わせ、新たなプレイリストが登録されている場合に、共有サーバ装置１００から新たなプレイリストを受信する。
【００４２】
通信処理部７０８は、このような新たな番組や新たなプレイリストがフォロー中のユーザの番組リストに追加されているか否かの問い合わせを、一定時間ごとに行ったり、録画再生装置２００の起動時に行う。
【００４３】
次に、以上のように構成された本実施の形態の録画システムによる番組リスト共有処理について説明する。図８は、実施の形態１の番組リスト共有処理の流れを示すシーケンス図である。
【００４４】
まず、ユーザＸが録画再生装置２００Ｘで番組リストの作成指示を行うと、録画再生装置２００Ｘの番組リスト生成部７０１が番組リストを生成する（ステップＳ１１）。具体的には、予約管理部７０２が最初に番組の録画予約を行うと、番組リスト生成部７０１が空の番組リストを生成し、予約管理部７０２は、録画予約した番組の番組関連情報を番組リストに登録する。そして、録画再生装置２００Ｘの通信処理部７０８は、生成された番組リストを共有サーバ装置１００に送信する（ステップＳ１２）。
【００４５】
共有サーバ装置１００は、通信部１０３で録画再生装置２００Ｘから番組リストを受信し、リスト管理部１０１が受信した番組リストを、番組リスト記憶部１１０に保存し、さらに、共有管理部１０２が番組リストの作成者であるユーザＸと対応付けて受信した番組リストの名称を、共有管理データベースに登録する（ステップＳ１３）。
【００４６】
一方、番組リストの共有を希望するユーザＡは、録画再生装置２００Ａの画面表示制御部７０９により、映像表示器２１８にリスト管理画面を表示させる（ステップＳ１４）。図９は、リスト管理画面の一例を示す図である。リスト管理画面には、図９に示すように、自分が作成した番組リストが表示される。リスト管理画面で新規追加のボタンを押下すると、画面表示制御部７０９は、フォローリスト画面を映像表示器２１８に表示する。
【００４７】
図１０は、フォローリスト画面の一例を示す図である。図１０に示すように、フォローリスト画面には、現在、自分がフォローしているユーザの番組リストが表示される。図１０の例では、ユーザＡは、ユーザＸのお笑い番組リストをフォローしている。自分がフォローしている番組リストについては、録画再生装置２００Ａのメモリ等に保存されている。
【００４８】
ユーザＡがこのフォローリスト画面で、さらにフォローしたい番組リストを検索する場合には、ジャンル検索、キーワード検索、人気リスト検索などのボタンを押下する。これにより、必要に応じて検索条件の指定をユーザにさせて、番組リスト検索部７０４が共有サーバ装置１００に対して、番組リストの検索要求を行う（ステップＳ１５）。
【００４９】
共有サーバ装置１００では、通信部１０３で検索要求を受信すると、リスト管理部１０１が検索条件に合致する番組リストを検索して、通信部１０３が検索された番組リストの一覧を、検索結果として検索要求を行った録画再生装置２００Ａに送信する（ステップＳ１６）。
【００５０】
検索結果を受信した録画再生装置２００Ａでは、画面表示制御部７０９が、検索結果としての番組リスト一覧を映像表示器２１８に表示する（ステップＳ１７）。図１１は、番組リスト一覧画面の一例を示す図である。番組リスト一覧画面には、図１１に示すように、「番組リスト名＠作成者」の形式で、作成者が作成した番組リストの一覧が表示されている。図１１に示す番組リスト一覧画面において、ユーザＡが所望の作成者の番組リストの右側に配置された「＋」ボタンを押下すると、要求部７０５は、押下された「＋」ボタンに対応する「番組リスト＠作成者」のフォロー要求を、共有サーバ装置１００に送信する（ステップＳ１８）。
【００５１】
フォロー要求を受信した共有サーバ装置１００は、共有管理部１０２が、フォロー要求で指定された作成者、番組リストを共有管理データベースから検索し、検索された番組リストに対応するフォロワーの項目に、フォロー要求を行ったユーザＡの識別情報を登録する（ステップＳ１９）。これにより、番組リストが共有化される。そして、共有サーバ装置１００の通信部１０３は、共有化したユーザＸの番組リストを、ユーザＡの録画再生装置２００Ａに送信する（ステップＳ２０）。
【００５２】
録画再生装置２００Ａでは、ユーザＸの番組リストを共有サーバ装置１００から受信し、ＨＤＤ等に保存する。
【００５３】
そして、録画再生装置２００Ａは、ユーザＡがフォローしたユーザの番組リストに新たな番組やプレイリストが登録されたか否かを、共有サーバ装置１００に、番組リストの更新確認を送信することを問い合わせる（ステップＳ２１）。
【００５４】
そして、共有サーバ装置１００は、更新ありまたは更新なしの確認結果を録画再生装置２００Ａに送信する（ステップＳ２２）。このような番組リストの更新確認は一定時間ごとに行われる。
【００５５】
ここで、ユーザＸが録画再生装置２００Ｘでフォロワーによりフォローされた番組リストに新規な録画予約、または新規なプレイリストを登録したとする（ステップＳ２３）。図１２は、録画予約の登録画面であり、図１３は、プレイリストの登録画面である。それぞれ、新たに登録する録画予約の番組やプレイリストとともに、登録する番組リストを選択できるようになっている。
【００５６】
録画再生装置２００Ｘで新規な録画予約、または新規なプレイリストが番組リストに登録されたら、録画再生装置２００Ｘの通信処理部７０８は、新規な録画予約、新規なプレイリストを、共有サーバ装置１００に送信する（ステップＳ２４）。
【００５７】
共有サーバ装置１００は、新規な録画予約、新規なプレイリストを受信して、リスト管理部１０１が、新規な録画予約、新規なプレイリストを番組リスト記憶部１１０の該当する番組リストに登録する（ステップＳ２５）。そして、録画再生装置２００Ａから、番組リスト更新確認を受信したら（ステップＳ２６）、上記新規な録画予約、新規なプレイリストを確認結果として、録画再生装置２００Ａに送信する（ステップＳ２７）。
【００５８】
ユーザＡの録画再生装置２００Ａでは、確認結果として、フォロー中のユーザＸの番組リストに追加された新規な録画予約、新規なプレイリストを受信して、予約管理部７０２が、受信した新規な録画予約を番組リストに追加して反映し、プレイリスト管理部７０３が、受信した新規なプレイリストを番組リストに追加して反映する（ステップＳ２８）。
【００５９】
一例として、ユーザＡがユーザＸの音楽番組リスト（「音楽番組リスト＠ユーザＸ」）をフォローしており、この音楽番組リストには、図４に示した例のように、録画予約された番組と、プレイリストが登録されているものとする。
【００６０】
このとき、録画再生装置２００Ａでは、画面表示制御部７０９が、図１４に示す番組リストのフォルダ一覧画面を表示する。このフォルダ一覧画面には、自分が作成した番組リストが格納されたフォルダである「自分のフォルダ」とフォロー中のユーザの番組リストのフォルダである「音楽番組リスト＠ユーザＸ」と、「ゴミ箱」フォルダ、フォルダに振り分けられていない番組「タイトル００１」が表示される。
【００６１】
そして、ユーザＸがこのフォルダ一覧画面で「音楽番組リスト＠ユーザＸ」フォルダを指定すると、録画再生装置２００Ａの画面表示制御部７０９は、図１５に示す番組リスト画面を表示する。この番組リスト画面は、図４に示した例の番組リストに対応して、録画予約された番組と、プレイリストが表示される。
【００６２】
ユーザＡが図１５の番組リスト画面で、録画予約された番組「００１  ミュージックアワー」を指定すると、当該番組が既に録画されている場合にはその再生が再生制御部７０７によって行われる。
【００６３】
ユーザＡが図１５の番組リスト画面で、プレイリスト番組「００２  ○○○バンド」を指定すると、このプレイリストに登録されている番組が再生制御部７０７によって再生される。
【００６４】
このように本実施の形態では、ユーザＡが録画再生装置２００Ａ等の多数のユーザから、所望のユーザＸの番組リストを、共有サーバ装置１００を介してフォロー可能として共有しているので、録画予約やプレイリストの情報は全てのユーザーに公開されることで、番組リストの提供元と提供先は１対多の関係にあり、嗜好を共有する不特定多数のユーザーが番組リストに登録された録画予約やプレイリストを利用することが可能となる。
【００６５】
また、本実施の形態では、フォローしているユーザＸの番組リストに新規な録画予約や新規なプレイリストが登録された場合には、新規な録画予約や新規なプレイリストが共有サーバ装置１００からフォロワーであるユーザＡの録画再生装置２００Ａに送信される。このため、本実施の形態によれば、ユーザＡは最初に番組リストを選択するだけで、自動的に複数の録画予約やプレイリスト作成を実行することができる。また、本実施の形態によれば、番組リストに新たな録画予約やプレイリストが登録されても、提供先のユーザＡは特に明示的な操作を行わなくても、新たな録画予約や新たなプレイリストの再生が可能となる。
【００６６】
また、本実施の形態は、番組リストの提供元であるユーザＸによる番組リストの編集情報も、フォロワーである不特定多数のユーザに共有することができ、録画したタイトルの特定のシーンのみを共有することも可能となる。すなわち、本実施の形態によれば、録画予約やプレイリストを広く公開可能として、録画予約情報の有効活用を図るとともに、ユーザの録画予約等の際の操作を簡略化することができる。
【００６７】
（実施の形態２）
実施の形態１では、共有する番組リストには、録画予約とプレイリストが登録可能であったが、この実施の形態２では、さらに、ネットワークの動画配信サイトのコンテンツ、ビデオ・オンデマンドのコンテンツ、ＤＶＤ／ＣＤ等のコンテンツの情報を番組リストに登録可能として、不特定多数のユーザに共有可能としている。
【００６８】
本実施の形態の録画システムのネットワーク構成は、実施の形態１と同様である。また、本実施の形態の共有サーバ装置１００の構成も実施の形態１と同様である。
【００６９】
図１６は、実施の形態２の録画再生装置２００の制御部１６２１の機能的構成を示すブロック図である。なお、本実施の形態の録画再生装置２００のハードウェア構成は実施の形態１と同様である。
【００７０】
本実施の形態の録画再生装置２００の制御部１６２１は、番組リスト生成部７０１と、予約管理部７０２と、プレイリスト管理部７０３と、コンテンツ管理部１６０４と、番組リスト検索部７０４と、要求部７０５と、画面表示制御部７０９と、録画制御部７０６と、再生制御部７０７と、通信処理部１６０８とを主に備えている。
【００７１】
ここで、番組リスト生成部７０１、予約管理部７０２、プレイリスト管理部７０３、番組リスト検索部７０４、要求部７０５、画面表示制御部７０９、録画制御部７０６、再生制御部７０７の機能、構成については実施の形態１と同様である。
【００７２】
コンテンツ管理部１６０４は、ネットワークの動画配信サイトのコンテンツ（以下、「ネット動画」という。）のＵＲＬ、ビデオ・オンデマンドの動画配信サイト（以下「ＶＯＤ」という。）のコンテンツ、ＤＶＤ／ＣＤ等の紹介サイトのＵＲＬ等のコンテンツに関する情報を、コンテンツ登録画面を介してリモコン等でユーザによって入力させ、番組リストに登録する。
【００７３】
図１７は、コンテンツ登録画面の一例を示す図である。図１７に示すように、ネット動画の場合にはタイトルとそのサイトのＵＲＬ、ＶＯＤの場合にはタイトルとＶＯＤサイト名、ＤＶＤ／ＣＤ等の場合にはタイトルと紹介サイトのＵＲＬのようなコンテンツに関する情報をユーザに入力させるようになっている。このようなコンテンツ登録画面によりコンテンツに関する情報が登録された番組リストは図１８に示すようになる。
【００７４】
図１６に戻り、通信処理部１６０８は、実施の形態１と同様の機能を有する他、ネット動画のＵＲＬ、ＶＯＤのサイト、ＤＶＤ／ＣＤ等の紹介サイトのＵＲＬ等のコンテンツに関する情報が番組リストに登録されるごとに、ネット動画のＵＲＬ、ＶＯＤのサイト、ＤＶＤ／ＣＤ等の紹介サイトのＵＲＬ等のコンテンツに関する情報を共有サーバ装置１００に送信する。
【００７５】
また、通信処理部１６０８は、実施の形態１と同様の機能を有する他、フォロー中のユーザの番組リストに、新たなネット動画のＵＲＬ、新たなＶＯＤのサイト、新たなＤＶＤ／ＣＤ等の紹介サイトのＵＲＬ等の新たなコンテンツに関する情報が登録されているか否かを共有サーバ装置１００に問い合わせる。そして、通信処理部１６０８は、新たなネット動画のＵＲＬ、新たなＶＯＤのサイト、新たなＤＶＤ／ＣＤ等の紹介サイトのＵＲＬ等の新たなコンテンツに関する情報が番組リストに登録されている場合に、共有サーバ装置１００から新たなコンテンツに関する情報を受信する。
【００７６】
一例として、ユーザＡがユーザＸの音楽番組リスト（「音楽番組リスト＠ユーザＸ」）をフォローしており、この音楽番組リストには、図１８に示した例のように、録画予約された番組と、プレイリストと、ネット動画と、ＶＯＤと、ＤＶＤ／ＣＤとが登録されているものとする。
【００７７】
このとき、録画再生装置２００Ａでは、実施の形態１と同様に、画面表示制御部７０９が、図１４に示す番組リストのフォルダ一覧を表示する。
【００７８】
そして、ユーザＸが図１４に示すフォルダ一覧画面で「音楽番組リスト＠ユーザＸ」フォルダを指定すると、録画再生装置２００Ａの画面表示制御部７０９は、図１９に示す番組リスト画面を表示する。この番組リスト画面は、図１８に示した例の番組リストに対応して、録画予約された番組と、プレイリストと、ネット動画と、ＶＯＤと、ＤＶＤ／ＣＤとが表示される。
【００７９】
ユーザＡが図１９の番組リスト画面で、ネット動画「００３  ○○ＰＶ」を指定すると、ブラウザが起動して、図１８の番組リストに登録されているネット動画のＵＲＬにアクセスする。また、ユーザＡがＶＯＤ「００４  ○○コンサート」を指定すると、ブラウザが起動して、図１８の番組リストに登録されているＶＯＤのサイト名にアクセスする。また、ユーザＡがＤＶＤ／ＣＤ「００５  ＺＺＺアルバム」を指定すると、ブラウザが起動して、図１８の番組リストに登録されているＤＶＤ／ＣＤの紹介サイトのＵＲＬにアクセスする。
【００８０】
このように本実施の形態では、ネット動画、ビデオ・オンデマンド（以下、「ＶＯＤ」という。）、ＤＶＤ／ＣＤ等のコンテンツの情報を番組リストに登録可能として、不特定多数のユーザに共有可能としているので、種々のコンテンツの有効活用を図るとともに、ユーザのコンテンツ視聴等の際の操作を簡略化することができる。
【００８１】
（実施の形態３）
実施の形態１、２では、録画再生装置２００で、所望のユーザの番組リストのフォローや、フォロー中の番組リストに新規に追加された録画予約等を受信していたが、この実施の形態３では、携帯端末でも同様の操作を可能としている。
【００８２】
図２０は、実施の形態３の録画システムのネットワーク構成図である。図２０に示すように、本実施の形態の録画システムは、図２０に示すように、複数の録画再生装置２００Ｘ，２００Ａ，２００Ｂと、共有サーバ装置１００と、携帯端末３００とが、インターネット等のネットワークで接続された構成となっている。
【００８３】
ここで、携帯端末３００は、ユーザＡが使用するものであり、従って、ユーザＡは録画再生装置２００Ａから所望のユーザの番組リストのフォローや、フォロー中の番組リストに新規に追加された録画予約等を受信する他、携帯端末３００でも所望のユーザの番組リストのフォローや、フォロー中の番組リストに新規に追加された録画予約等を受信可能となっている。
【００８４】
本実施の形態の共有サーバ装置１００および録画再生装置２００の構成および機能は、実施の形態１と同様である。
【００８５】
図２１は、実施の形態３の携帯端末３００の機能的構成を示すブロック図である。ここで、携帯端末３００は、例えば、携帯電話やスマートフォン等が該当する。本実施の形態の携帯端末３００は、図２１に示すように、番組リスト生成部７０１と、予約管理部７０２と、プレイリスト管理部７０３と、コンテンツ管理部１６０４と、番組リスト検索部７０４と、要求部７０５と、画面表示制御部７０９と、通信処理部１６０８とを主に備えている。これら各部の機能は、実施の形態２の録画再生装置２００の制御部１６２１を構成する各部と同様である。ただし、携帯端末３００には、録画再生装置２００と異なり、録画制御部、再生制御部は備わっていないものとする。
【００８６】
本実施の形態の携帯端末３００の通信処理部７０８は、録画再生装置２００の通信処理部７０８の機能に加え、共有サーバ装置１００から受信した番組リストを、ユーザＡの録画再生装置２００Ａに転送する。また、携帯端末３００の通信処理部７０８は、ユーザＸが録画再生装置２００Ｘで新規に番組リストに登録した録画予約、プレイリスト、コンテンツに関する情報を、共有サーバ装置１００から受信した場合に、これらの新規な録画予約、プレイリスト、コンテンツに関する情報を、ユーザＡの録画再生装置２００Ａに転送する。
【００８７】
次に、以上のように構成された本実施の形態の録画システムによる番組リスト共有処理について説明する。図２２は、実施の形態３の番組リスト共有処理の流れを示すシーケンス図である。
【００８８】
携帯端末３００では、画面表示制御部７０９が、番組リスト一覧（図１１参照）を液晶ディスプレイに表示する（ステップＳ１７）。そして、携帯端末３００は、番組リスト一覧画面で、所望の作成者の番組リストを指定して、要求部７０５は、指定したユーザの番組リストのフォロー要求を、共有サーバ装置１００に送信する（ステップＳ１８）。
【００８９】
フォロー要求を受信した共有サーバ装置１００は、共有管理部１０２が、フォロー要求で指定された作成者、番組リストを共有管理データベースから検索し、検索された番組リストに対応するフォロワーの項目に、フォロー要求を行ったユーザＡの識別情報を登録する（ステップＳ１９）。これにより、番組リストが共有化され、共有サーバ装置１００の通信部１０３は、共有化したユーザＸの番組リストを、ユーザＡの携帯端末３００に送信する（ステップＳ２０）。
【００９０】
ユーザＸの番組リストを受信したユーザＡの携帯端末３００の通信処理部７０８は、受信したユーザＸの番組リストを、ユーザＡの録画再生装置２００Ａに送信する（ステップＳ４１）。携帯端末３００および録画再生装置２００Ａでは、ユーザＸの番組リストをＨＤＤ等に保存する。
【００９１】
そして、携帯端末３００は、ユーザＡがフォローしたユーザの番組リストに新たな番組やプレイリスト、新たなコンテンツの情報等が登録されたか否かを、共有サーバ装置１００に、番組リストの更新確認を送信することを問い合わせる（ステップＳ２１）。そして、共有サーバ装置１００は、更新ありまたは更新なしの確認結果を携帯端末３００に送信する（ステップＳ２２）。
【００９２】
ユーザＸが録画再生装置２００Ｘでフォロワーによりフォローされた番組リストに新規な録画予約、または新規なプレイリストや新たなコンテンツの情報を登録したとする（ステップＳ２３）。
【００９３】
録画再生装置２００Ｘで新規な録画予約、新規なプレイリストや新規なコンテンツの情報が番組リストに登録されたら、録画再生装置２００Ｘの通信処理部７０８は、新規な録画予約、新規なプレイリスト、新規なコンテンツの情報を、共有サーバ装置１００に送信する（ステップＳ２４）。
【００９４】
共有サーバ装置１００は、新規な録画予約、新規なプレイリスト、新規なコンテンツの情報を受信して、リスト管理部１０１が、新規な録画予約、新規なプレイリスト、新規なコンテンツの情報を番組リスト記憶部１１０の該当する番組リストに登録する（ステップＳ２５）。そして、携帯端末３００から、番組リスト更新確認を受信したら（ステップＳ２６）、上記新規な録画予約、新規なプレイリストや新規なコンテンツの情報を確認結果として、録画再生装置２００Ａに送信する（ステップＳ２７）。
【００９５】
携帯端末３００では、確認結果として、フォロー中のユーザＸの番組リストに追加された新規な録画予約、新規なプレイリストや新規なコンテンツの情報を受信して、予約管理部７０２が、受信した新規な録画予約を番組リストに追加して反映し、プレイリスト管理部７０３が、受信した新規なプレイリストを番組リストに追加し、コンテンツ管理部１６０４が新規なコンテンツの情報を番組リストに追加して反映する（ステップＳ２８）。そして、通信処理部７０８は、反映後の番組リストを、ユーザＡの録画再生装置２００Ａに送信する（ステップＳ４２）。
【００９６】
このように本実施の形態では、携帯端末３００側でも、所望のユーザの番組リストのフォローや、フォロー中の番組リストに新規に追加された録画予約等を受信しているので、録画予約情報の有効活用をより図ることができるとともに、ユーザの録画予約の際の操作をより簡略化することができる。
【００９７】
本実施の形態の携帯端末３００は、ＣＰＵと、ＲＯＭ、ＲＡＭ、フラッシュメモリなどの記憶装置と、液晶ディスプレイ等の表示デバイス、テンキー等の入力デバイス等を備えたハードウェア構成となっている。
【００９８】
上記実施の形態１、２の録画再生装置２００の通信処理部７０８，１６０８および実施の形態３の携帯端末３００の通信処理部７０８は、録画予約が行われるごとに、録画予約が行われた番組の番組関連情報を共有サーバ装置１００に送信したり、プレイリストが番組リストに登録されるごとに、プレイリストを共有サーバ装置１００に送信したり、コンテンツに関する情報が番組リストに登録されるごとに当該コンテンツに関する情報を共有サーバ装置１００に送信しているが、番組関連情報、プレイリスト、コンテンツに関する情報の共有サーバ装置１００への送信タイミングについてはこれに限定されるものではない。
【００９９】
例えば、一定期間ごとや、番組関連情報、プレイリスト、コンテンツに関する情報が所定量に到達した時点、その他任意のタイミングで、番組関連情報、プレイリスト、コンテンツに関する情報を共有サーバ装置１００に送信するように、通信処理部７０８，１６０８を構成してもよい。
【０１００】
また、上記実施の形態１、２の録画再生装置２００の通信処理部７０８，１６０８および実施の形態３の携帯端末３００の通信処理部７０８は、フォロー中のユーザの番組リストに、新たな録画予約、新たなプレイリスト、新たなコンテンツに関する情報が登録されているか否かを共有サーバ装置１００に問い合わせて、登録されている場合に、共有サーバ装置１００から新たな録画予約、新たなプレイリスト、新たなコンテンツに関する情報を受信しているが、このような問い合わせを行って受信することに限定されるものではない。
【０１０１】
例えば、録画再生装置２００や携帯端末３００からの問い合わせを行わずに、共有サーバ装置１００が、所定のタイミングで、新たな録画予約、新たなプレイリスト、新たなコンテンツを録画再生装置２００や携帯端末３００を送信するように共有サーバ装置１００の通信部１０３を構成し、さらに、これらを受信するように録画再生装置２００や携帯端末３００の通信処理部７０８，１６０８を構成してもよい。
【０１０２】
また、実施の形態１〜３の共有サーバ装置１００は、ＣＰＵと、ＲＯＭ、ＲＡＭ、フラッシュメモリなどの記憶装置と、ＨＤＤやＤＶＤ等の外部記憶装置と、ディスプレイ装置等の表示デバイスと、キーボードやマウス等の入力デバイス等を備えた通常のコンピュータのハードウェア構成となっている。
【０１０３】
実施の形態１〜３の録画再生装置２００で実行される番組リスト共有処理プログラムは、ＲＯＭ等に予め組み込まれて提供される。
【０１０４】
実施の形態１〜３の録画再生装置２００で実行される番組リスト共有処理プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【０１０５】
さらに、実施の形態１〜３の録画再生装置２００で実行される番組リスト共有処理プログラムを、インターネット等のネットワークに接続されたコンピュータ上に格納し、ネットワーク経由でダウンロードさせることにより提供するように構成しても良い。また、実施の形態１〜３の録画再生装置２００で実行される番組リスト共有処理プログラムをインターネット等のネットワーク経由で提供または配布するように構成しても良い。
【０１０６】
実施の形態１〜３の録画再生装置２００で実行される番組リスト共有処理プログラムは、上述した各部（番組リスト生成部７０１、予約管理部７０２、プレイリスト管理部７０３、コンテンツ管理部１６０４、番組リスト検索部７０４、要求部７０５、画面表示制御部７０９、録画制御部７０６、再生制御部７０７、通信処理部７０８，１６０８）を含むモジュール構成となっており、実際のハードウェアとしてはＣＰＵが上記ＲＯＭから番組リスト共有処理プログラムを読み出して実行することにより上記各部が主記憶装置上にロードされ、番組リスト生成部７０１、予約管理部７０２、プレイリスト管理部７０３、コンテンツ管理部１６０４、番組リスト検索部７０４、要求部７０５、画面表示制御部７０９、録画制御部７０６、再生制御部７０７、通信処理部７０８，１６０８が主記憶装置上に生成されるようになっている。
【０１０７】
実施の形態３の携帯端末３００で実行される番組リスト共有処理プログラムは、ＲＯＭ等に予め組み込まれて提供される。
【０１０８】
実施の形態３の携帯端末３００で実行される番組リスト共有処理プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【０１０９】
さらに、実施の形態３の携帯端末３００で実行される番組リスト共有処理プログラムを、インターネット等のネットワークに接続されたコンピュータ上に格納し、ネットワーク経由でダウンロードさせることにより提供するように構成しても良い。また、実施の形態３の携帯端末３００で実行される番組リスト共有処理プログラムをインターネット等のネットワーク経由で提供または配布するように構成しても良い。
【０１１０】
実施の形態３の携帯端末３００で実行される番組リスト共有処理プログラムは、上述した各部（番組リスト生成部７０１、予約管理部７０２、プレイリスト管理部７０３、コンテンツ管理部１６０４、番組リスト検索部７０４、要求部７０５、画面表示制御部７０９、通信処理部１６０８）を含むモジュール構成となっており、実際のハードウェアとしてはＣＰＵが上記ＲＯＭから番組リスト共有処理プログラムを読み出して実行することにより上記各部が主記憶装置上にロードされ、番組リスト生成部７０１、予約管理部７０２、プレイリスト管理部７０３、コンテンツ管理部１６０４、番組リスト検索部７０４、要求部７０５、画面表示制御部７０９、通信処理部１６０８が主記憶装置上に生成されるようになっている。
【０１１１】
また、実施の形態１〜３の共有サーバ装置１００で実行される共有処理プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【０１１２】
また、実施の形態１〜３の共有サーバ装置１００で実行される共有処理プログラムを、インターネット等のネットワークに接続されたコンピュータ上に格納し、ネットワーク経由でダウンロードさせることにより提供するように構成しても良い。また、実施の形態１〜３の共有サーバ装置１００で実行される共有処理プログラムをインターネット等のネットワーク経由で提供または配布するように構成しても良い。
【０１１３】
また、実施の形態１〜３の共有サーバ装置１００で実行される共有処理プログラムを、ＲＯＭ等に予め組み込んで提供するように構成してもよい。
【０１１４】
実施の形態１〜３の共有サーバ装置１００で実行される共有処理プログラムは、上述した各部（リスト管理部１０１、共有管理部１０２）を含むモジュール構成となっており、実際のハードウェアとしてはＣＰＵが上記記憶媒体から共有処理プログラムを読み出して実行することにより上記各部が主記憶装置上にロードされ、リスト管理部１０１、共有管理部１０２が主記憶装置上に生成されるようになっている。
【０１１５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１６】
１００  共有サーバ装置
１０１  リスト管理部
１０２  共有管理部
１１０  番組リスト記憶部
２００，２００Ａ，２００Ｂ，２００Ｘ  録画再生装置
３００  携帯端末
７０１  番組リスト生成部
７０２  予約管理部
７０３  プレイリスト管理部
７０４  番組リスト検索部
７０５  要求部
７０６  録画制御部
７０７  再生制御部
７０８，１６０８  通信処理部
７０９  画面表示制御部
１６０４  コンテンツ管理部
【要約】
【課題】録画予約情報を広く公開可能として録画予約情報の有効活用を図るとともに、ユーザの録画予約の際の操作を簡略化する。
【解決手段】実施形態の録画装置は、予約管理部と、送信部とを備える。予約管理部は、ユーザの指示により、放送される番組の録画予約を行って、前記録画予約が行われた番組の情報を、番組リストに登録する。送信部は、前記番組リストを、前記番組リストを他のユーザと共有させるサーバ装置に送信し、前記録画予約が行われた場合に、前記録画予約が行われた番組の情報を前記サーバ装置に送信する。
【選択図】図７【図１】
0005362075.tif 000002
【図２】
0005362075.tif 000003
【図３】
0005362075.tif 000004
【図４】
0005362075.tif 000005
【図５】
0005362075.tif 000006
【図６】
0005362075.tif 000007
【図７】
0005362075.tif 000008
【図８】
0005362075.tif 000009
【図９】
0005362075.tif 000010
【図１０】
0005362075.tif 000011
【図１１】
0005362075.tif 000012
【図１２】
0005362075.tif 000013
【図１３】
0005362075.tif 000014
【図１４】
0005362075.tif 000015
【図１５】
0005362075.tif 000016
【図１６】
0005362075.tif 000017
【図１７】
0005362075.tif 000018
【図１８】
0005362075.tif 000019
【図１９】
0005362075.tif 000020
【図２０】
0005362075.tif 000021
【図２１】
0005362075.tif 000022
【図２２】
0005362075.tif 000023